(57)【要約】      （修正有）【課題】箸を自由に使えない方でも簡単に箸を使えるようにする箸の補助具を提供する。【解決手段】可動箸保持体２が、１本の箸を保持する穴６ｂを有しかつ前記可動箸保持体を内包する空間を有するケース兼固定箸保持体１に収納され、前記可動箸保持体は前記ケース兼固定箸保持体に回動可能に軸着する。前記可動箸保持体は、前記ケース兼固定箸保持体からバネ４によって前記それぞれの箸を保持する穴に挿入された一対の箸の箸先が開く方向に付勢されており、前記可動箸保持体の対向する２つの外表面が平行な平面状であり、前記可動箸保持体が回動する際に、前記２つの外表面が、前記ケース兼固定箸保持体の平行な内壁間に摺動可能に挟持する。【選択図】図１
0003159059.tif 000002
【実用新案登録請求の範囲】
【請求項１】
１本の箸を保持する穴を有する可動箸保持体が、１本の箸を保持する穴を有しかつ前記可動箸保持体を内包する空間を有するケース兼固定箸保持体に収納され、前記可動箸保持体は前記ケース兼固定箸保持体に回動可能に軸着され、前記可動箸保持体は、前記ケース兼固定箸保持体からバネによって前記それぞれの箸を保持する穴に挿入された一対の箸の箸先が開く方向に付勢されており、前記可動箸保持体の対向する２つの外表面が平行な平面状であり、前記可動箸保持体が回動する際に、前記２つの外表面が、前記ケース兼固定箸保持体の平行な内壁間に摺動可能に挟まれていることを特徴とする箸の補助具。
【請求項２】
前記可動箸保持体と前記ケース兼固定箸保持体の箸を保持するための穴の端部に、それぞれ２回転以上の雌ねじを設け、対応する箸の所定の場所に位置決め用肩部と約１回転分の雄ねじを設けることにより、一対の箸のそれぞれを各保持体にねじ込むことにより容易に箸先をそろえて固定可能としたことを特徴とする請求項１に記載した箸の補助具。
【請求項３】
前記ケース兼固定箸保持体に、コイルバネとコイルバネに押されたプッシュロッドを収納する穴を設け、前記プッシュロッドの先端部には平面部が設けられており、前記可動箸保持体に設けた当接用突起が前記プッシュロッドの平面部と常に線接触しながら、前記可動箸保持体が前記ケース兼固定箸保持体内で回動することを特徴とする請求項１又は請求項２に記載した箸の補助具。
【請求項４】
親指又は親指と中指又は親指と薬指を挿入して操作を容易にするための操作補助アタッチメントを前記ケース兼固定箸保持体に装着可能にしたものであり、一本の箸を前記アタッチメントに設けた穴と前記ケース兼固定箸保持体の箸保持用穴の両方に貫通させることにより前記操作補助アタッチメントが前記ケース兼箸保持体に装着されることを特徴とする請求項１〜請求項３のいずれかに記載した箸の補助具。
【考案の詳細な説明】
【技術分野】
【０００１】
本考案は、箸を自由に使えない方でも簡単に箸を使えるようにする補助具に関する。
【背景技術】
【０００２】
箸の補助具に関して、本考案者は特許文献１により、主に３つの部品からなる箸の補助具を開発した。
【先行技術文献】
【特許文献】
【０００３】
【特許文献１】特許第３９３２４６０号公報
【考案の概要】
【考案が解決しようとする課題】
【０００４】
本考案は、上記特許文献1に記載した箸の補助具について、以下の問題点を
解決しようとするものである。
１）製造価格・・成形金型が高価である。
２）箸の固定方法・・一対の箸を箸先をそろえて固定するのに時間がかかる。
３）耐久性・・使用時の摩耗等による精度劣化が箸開閉不良を引き起こすおそれがある。
４）補助具の保持方法・・補助具を保持し操作するための付加的なアタッチメントが必要な場合がある。
【課題を解決するための手段】
【０００５】
上記課題に対して、それぞれ以下の手段で解決した。
【０００６】
１本の箸を保持する穴を有する可動箸保持体が、１本の箸を保持する穴を有しかつ前記可動箸保持体を内包する空間を有するケース兼固定箸保持体に収納され、前記可動箸保持体は前記ケース兼固定箸保持体に回動可能に軸着され、前記可動箸保持体は、前記ケース兼固定箸保持体からバネによって前記それぞれの箸を保持する穴に挿入された一対の箸の箸先が開く方向に付勢されており、前記可動箸保持体の対向する２つの外表面が平行な平面状であり、前記可動箸保持体が回動する際に、前記２つの外表面が、前記ケース兼固定箸保持体の平行な内壁間に摺動可能に挟まれている構造にした。
【０００７】
前記可動箸保持体と前記ケース兼固定箸保持体の箸を保持するための穴の端部に、それぞれ２回転以上の雌ねじを設け、対応する箸の所定の場所に位置決め用肩部と約１回転分の雄ねじを設けることにより、一対の箸のそれぞれを各保持体にねじ込むことにより容易に箸先をそろえて固定可能とした。
【０００８】
前記ケース兼固定箸保持体に、コイルバネとコイルバネに押されたプッシュロッドを収納する穴を設け、前記プッシュロッドの先端部には平面部が設けられており、前記可動箸保持体に設けた当接用突起が前記プッシュロッドの平面部と常に線接触しながら、前記可動箸保持体が前記ケース兼固定箸保持体内で回動する構造にした。
【０００９】
親指又は親指と中指を挿入して操作を容易にするための操作補助アタッチメントを前記ケース兼固定箸保持体に装着可能にし、一本の箸を前記アタッチメントに設けた穴と前記ケース兼固定箸保持体の箸保持用穴の両方に貫通させることにより前記操作補助アタッチメントが前記ケース兼箸保持体に装着されるようにした。
【考案の効果】
【００１０】
本箸の補助具の主要部品の製作は樹脂の射出成形で行うが、特許文献1では２個の箸保持体とケースの計３つの主要部品から成り、該ケースは構造上、成形するには３方向引き抜き金型が必要であり金型代がとても高価であった。
本考案ではケース兼箸保持体と可動箸保持体の２つの部品で特許文献１の機能を満足し、部品点数の削減と同時に１方向引き抜き金型で製作が可能になるので金型代が約半分にまで抑えられた。
【００１１】
箸に位置決め用の肩部と約１回転分の雄ねじを付け、一対の箸保持体の箸保持用穴に雌ねじを２回転以上を付ける事により前記箸の補助具下方部に箸の上部から差込み1回転させる事により簡単に箸同士の正確な位置決めと固定・抜け止やアタッチメントの固定までも完了する事が出来る。
【００１２】
特許文献１では、バネを設けた箸保持体もケースに収納する構造だったので、バネとプッシュロッドの外径を大きくすることができず、その結果プッシュロッドの先端は球形に近い形状にならざるを得なかった。
本考案ではケース兼固定箸保持体の厚さを比較的大きくできるので、コイルバネとプッシュロッドの外径を大きくし、プッシュロッドの先端部に平面部を設け、可動箸保持体に設けた当接用突起がプッシュロッドの平面部と常に線接触しながら回動するようにしたので、接触面圧が低下し、磨耗による耐久劣化が減少し、回動がスムーズに行えるようになった。
【００１３】
本考案による箸の補助具を保持し操作すること自体が困難な人にとっては、さらに操作補助アタッチメントを装着できることが望まれる。
請求項４の考案によれば、親指と中指などを挿入可能なアタッチメントを、ケース兼固定箸保持体に箸を挿入固定することによって容易に着脱できる。
【００１４】
以上のように本考案による箸の補助具は、手頃な価格帯で持続的機能精度を維持し、しかも幅広い人に利用可能なユニバーサルデザインになっているので自助具として多様な使い道が増える。
例えば、高齢者や要介護者の症状に対応して活用する事によって介護の省力化とリハビリ効果と意欲の向上が期待でき、更に一般の人（例えば箸に慣れていない外国の方）にとっても形状的に圧迫感がなく機能・耐久性が優れていることにより普及が期待できる。
【図面の簡単な説明】
【００１５】
【図１】本考案による箸の補助具の平面図（Ｄ−Ｄ断面図）
【図２】本考案による箸の補助具のＡ−Ａ断面図
【図３】本考案による箸の補助具のＢ−Ｂ断面図
【図４】本考案による箸の補助具のＣ−Ｃ断面図
【図５】本考案による箸の補助具の左側面図
【図６】本考案による箸の補助具の右側面図
【図７】本考案による箸の補助具に装着する箸の外観図
【図８】本考案による箸の補助具に操作補助アタッチメントを装着した状態の外観図
【図９】操作補助アタッチメントの平面図
【図１０】操作補助アタッチメントのＥ−Ｅ断面図
【図１１】操作補助アタッチメントの側面図（Ｆ−Ｆ矢視図）
【図１２】(a) 本考案による箸の補助具の作動説明図（ハート形の例）、(b) 本考案による箸の補助具の作動説明図（たまご形にくぼみを設けた形状例）
【考案を実施するための形態】
【００１６】
図１から図６を用いて本考案による箸の補助具の実施形態について説明する。
図１は本考案による箸の補助具の平面図（図３のD−D断面図）であり、図２、図３、図４はそれぞれ、Ａ−Ａ、Ｂ−Ｂ、Ｃ−Ｃ断面図である。
ケース兼固定箸保持体１と可動箸保持体２は、重なり部９、１０で凹凸状に嵌合しており、支軸となるねじ１３がケース兼固定箸保持体１と可動箸保持体２を貫通して通り、ケース兼固定箸保持体１に固定されている。
【００１７】
ケース兼固定箸保持体１にコイルバネ４とプッシュロッド３を収納する穴５を設け、コイルバネ４はプッシュロッド３を介して可動箸保持体２を、図１で時計方向に回動するように押している。
【００１８】
２つの箸保持体１、２には前記支軸１３と直角方向にそれぞれ１個ずつ箸を挿入するための穴６ａと穴６ｂが有り、可動箸保持体２を収納するケース部分の支軸１３方向の幅寸法は可動保持体２の幅よりわずかに広くし、２つの内壁である摺動面１１−１１間に挟まれてサポートされながら摺動し、可動箸保持体がほぼ同一平面内で回動するようになっている。
したがって箸先のずれが少なく、小さなものでも摘むことができる。
【００１９】
また、ケース兼固定箸保持体１内の摺動面である内壁１１−１１を側面壁１２で繋いでいるので、摺動面１１−１１の間隔は強固に保たれる。
【００２０】
２つの箸保持体１、２に箸をそれぞれ固定するには、２つの箸保持体１、２に箸の上部３０ｃを雌ねじ７ａ、７ｂ側から穴６ａ、６ｂに挿入して回転させ、箸の雄ねじ３０ａが雌ネジ７ａ、７ｂに螺合し、箸の肩部３０ｂが箸保持体の穴６ａ、６ｂの端面に当って止まるようにする。
これによって位置決め固定と抜け止めを一度に行える。
箸を外すときは上記と逆の作業を行なう。
【００２１】
可動箸保持体２をバネ力で付勢し回動する際、該保持体のプッシュロッド側に配した突起１４部の先端の半円筒部を、コイルバネ５に押されたプッシュロッド３の先端の平面と接触するようにし、プッシュロッドの頭が収納穴５から極力覗き出ないようにして、接点の耐摩耗性を向上させスムーズな作動を可能にした。
【００２２】
図６から図１１を用いて本考案による操作補助アタッチメントの実施形態について説明する。
ケース兼固定箸保持体１の親指位置指定用凹部１５から、親指第一関節の裏を添えアタッチメント２０の親指挿入用空間１６を下にして親指を包み込む様にしアタッチメント２０の箸通し穴１８ａと箸通し穴１８ｂを、箸保持用穴７ａには穴１８ａを、箸保持用穴６ａには穴１８ｂを各々隣接させ、箸３０を挿入してねじ込んで固定し、アタッチメントの中指挿入用穴１７に中指（状況によっては薬指）の第二関節近くまで差込み、上からは親指、下からは中指（又は薬指）で支え、人差し指（又は中指、又は人差し指と中指両方）で可動箸を押したり緩めたりするだけの動作で箸先で物が掴んだり放したりすることができる。
【００２３】
図10（a）及び（ｂ）を用いて本発明外形の最良の形態について説明する。
図10（ａ）はハート型を横にした形状で子供や女性など手の小さい人向けで又、図10（ｂ）はたまご型を上下を反対にした形状で手の大きい男性向けである。（ａ）（ｂ）共に固定箸側の側面が窪んでおり手に取る方行を指示し且つ窪んでいる為箸の補助具が使用時にずれ落ちる事を防ぐ事が出来る為要らぬ神経を使わなくて済むので扱い易さとフィット感の向上に繋がる。
【符号の説明】
【００２４】
1  ケース兼固定箸保持体
2  可動箸保持体
3  プッシュロッド
4  コイルバネ
5  プッシュロッド及びコイルバネ収納用穴
6a  箸保持用穴（ケース兼固定箸保持体側）
6b  箸保持用穴（可動箸保持体側）
7a  箸固定用雌ねじ（ケース兼固定箸保持体側）
7b  箸固定用雌ねじ（可動箸保持体側）
8  逃げ穴
9  可動箸保持体の支点穴設置用凸部に嵌合する凹溝
10  可動箸保持体の支点穴設置用凸部
11  可動箸保持体の外面と摺動する為のケース兼固定箸保持体の内壁
12  ケース兼固定箸保持体の2つの摺動内壁を繋ぐ側面壁
13  ケース兼固定箸保持体と可動箸保持体を回動可能とさせる支点
14  可動箸保持体側のプッシュロッドと接する突起
15  親指位置指定用凹部
16  操作補助アタッチメントの親指挿入用空間
17  操作補助アタッチメントの中指挿入用穴
18a 箸の雄ねじが切ってある方を通す穴
18b 箸の上部を通す穴
19  箸の補助具と接する面
20  操作補助アタッチメント
30  箸
30a  箸の固定用雄ねじ
30b  箸の位置決め用肩部
30c  箸の上部
【図１】
0003159059.tif 000003
【図２】
0003159059.tif 000004
【図３】
0003159059.tif 000005
【図４】
0003159059.tif 000006
【図５】
0003159059.tif 000007
【図６】
0003159059.tif 000008
【図７】
0003159059.tif 000009
【図８】
0003159059.tif 000010
【図９】
0003159059.tif 000011
【図１０】
0003159059.tif 000012
【図１１】
0003159059.tif 000013
【図１２】
0003159059.tif 000014